(57)【要約】【課題】ボディソープ、シャンプー等の詰め替えパックの内溶液を本体容器へ注入する際に、詰め替えパックの注出口を開栓して、その機構上に置くだけで安定支持され、液溢れすることなく自然注入し、不使用時には、その機構をコンパクトに収納出来る液体洗剤等の詰め替えパックの注入補助具を提供する。【解決手段】基台の中心に注入口を設け、基台の下方にその注入口の滴下筒を設ける。基台の上方には、基台の注入口に詰め替えパックの注出口部を収めて、基台の注入口のほぼ中心に詰め替えパックの重心が来る状態で詰め替えパックを安定支持する機構を設け、その機構は不使用時には、閉じてコンパクトに収納出来ることを特徴とする液体洗剤等の詰め替えパックの注入補助具。【選択図】図１
2018052621.tif 000002
【特許請求の範囲】
【請求項１】
基台の中心に基台注入口を設け、基台の下方に、その基台注入口の滴下筒を設け、基台の上方には、基台注入口に詰め替えパックの注出口部を収めて、基台注入口のほぼ中心に、詰め替えパックの重心が来る状態で詰め替えパックを安定支持する開閉自在の長ウイングと短ウイングを設け、その長ウイングと短ウイングは不使用時には閉じて、コンパクトに収納出来る事を特徴とする液体洗剤等の詰め替えパックの注入補助具。
【発明の詳細な説明】
【技術分野】
【０００１】  本発明は、ボディソープ、シャンプー、リンス等の詰め替えパックの内溶液を、本体容器に液溢れなく簡単に安定注入するための、液体洗剤等の詰め替えパックの注入補助具に関するものである。
【背景技術】
【０００２】  従来、ボディソープ、シャンプー、リンス等の詰め替えパックは、詰め替えパックを手に持って直接本体容器の注入口に詰め替えパックの注出口を差し込んで、その本体容器の注入口と詰め替えパックの注出口とがずれて液が外へ溢れないように気を使いながら、詰め替えパックを絞るなどして、詰め替えパックの内溶液を本体容器へ注入していた。
このような煩わしさ、不安定さを改善するものとして、例えば、特許文献１に開示された液体詰め替え用品詰め替え補助用具では、本体容器の注入口に、詰め替えパックの注出口部を収めた状態で詰め替えパックの袋の端をクリップで挟み、そのクリップと連結した鎖の最適な長さとなる輪部を選んで壁につけたフックに引っ掛けて、上方から詰め替えパックを吊り下げるかたちで放置して詰め替えるものが知られている。
また、特許文献２に開示された詰め替え補助器具では、基台上に、詰め替えパックの一端を挟んで吊り下げる機構を設け、基台上に置いた本体容器の注入口に詰め替えパックの注出口部を収めた状態で、その吊り下げ機構に詰め替えパックを吊り下げて放置して詰め替えるものが知られている。
【先行技術文献】
【特許文献】
【０００３】
【特許文献１】実用新案登録第３１６７６２８号公報
【特許文献２】実用新案登録第３１８０７３４号公報
【発明の概要】
【発明が解決しようとする課題】
【０００４】  しかしながら、これらには次の様な問題点があった。
特許文献１の場合では、空状態で非常に軽量となっていて不安定な本体容器の注入口に詰め替えパックの注出口部を収めた状態で、詰め替えパックの袋の端をクリップで挟んで上方より吊り下げて状態維持するだけなので、揺れ、振動等の何らかの影響でたやすく本体容器の注入口に収めた詰め替えパックの注出口部が外れて、液が容器外へ溢れることが想定される。また、詰め替え作業は、詰め替えパックを吊るすためのフックを設置した場所に限定される。
特許文献２の場合では、上記の特許文献１と同様、詰め替えパックの一端を挟んで上方より吊り下げる方式であり、やはり、本体容器の注入口に収めた詰め替えパックの注出口部が何らかの影響でたやすく外れる懸念がある。更に、基台上に吊り下げ機構を持つ構造体は大掛かりなものとなり、場所的な制約を受けざるを得ず、また、そのセッティングも煩わしいものである。
本発明は、以上のような問題点を解決するためになされたものである。
【課題を解決するための手段】
【０００５】  基台の中心に基台注入口を設け、その基台注入口の下方には、本体容器注入筒の内径に程よい余裕を持って挿通出来る太さで適度な長さの滴下筒を設ける。
基台の上方には、基台注入口に詰め替えパック注出口部が程よく収まり、且つ詰め替えパックの重心が基台注入口のほぼ中心に位置するように、傾斜した詰め替えパック側辺部を下方から斜めに、かつその厚みをコの字状の支持機構部で部分的に囲い込んで支持する長ウイングを設ける。また同様に、長ウイングの傾斜と直角をなす、詰め替えパック注出口部のある詰め替えパック上辺部を下方から斜めに、かつその厚みをコの字状の支持機構部で部分的に囲い込んで支持する短ウイングを設ける。
また、基台と長ウイングとの支点には、傾斜した長ウイングを垂直軸方向へ回転できる様に開閉自在の回転機構を設ける。また、基台と短ウイングとの支点にも、傾斜した短ウイングを垂直軸方向へ回転できる様に開閉自在の回転機構を設ける。
以上を特徴とする液体洗剤等の詰め替えパックの注入補助具。
【発明の効果】
【０００６】  開栓した詰め替えパックを斜め逆さ状態で、当注入補助具上に乗せるだけで、安定支持されて自然注入し、本体容器は上方に乗った詰め替えパックの重みで安定し、移動したり、倒れたりして液溢れする心配も少なく、また場所を選ばずどこでも注入可能であり、使用後は、両ウイングを閉じて、コンパクトに収納できるので便利である。
【図面の簡単な説明】
【０００７】
【図１】本発明の斜視図。
【図２】本体容器にセット時の本発明の斜視図。
【図３】本体容器にセットして詰め替えパックをセット時の本発明の斜視図。
【図４】ウイングを閉じた時の本発明の斜視図。
【発明を実施するための形態】
【０００８】  以下、本発明を実施するための形態について説明する。
（イ）基台（１）の中心に基台注入口（３）を設ける。
（ロ）基台注入口（３）の下方には、本体容器（８）の本体容器注入筒（９）の内径に程よい余裕を持って挿通出来る太さで適度の長さの滴下筒（２）を設ける。
（ハ）基台（１）の上方には、基台注入口（３）に詰め替えパック注出口部（１３）が程よく収まり、且つ詰め替えパック（１０）の重心が基台注入口（３）のほぼ中心に位置するように、傾斜した詰め替えパック側辺部（１１）を下方から斜めに、かつその厚みをコの字状の支持機構部Ａ（６）で部分的に囲い込んで支持する長ウイング（４）を設ける。また同時に、長ウイング（４）の傾斜と直角をなす、詰め替えパック注出口部（１３）のある詰め替えパック上辺部（１２）を下方から斜めにかつその厚みをコの字状の支持機構部Ｂ（７）で部分的に囲い込んで支持する短ウイング（５）を設ける。
（ニ）基台（１）と長ウイング（４）との支点には、傾斜した長ウイング（４）を垂直軸方向へ回転出来る様に、開閉自在の回転機構Ａ（１４）を設ける。また、基台（１）と短ウイング（５）との支点にも、傾斜した短ウイング（５）を垂直軸方向へ回転出来る様に、開閉自在の回転機構Ｂ（１５）を設ける。
本発明は以上のような構成である。
【０００９】  本発明を使用するときは、
（イ）基台（１）の滴下筒（２）を本体容器注入筒（９）へ挿通し、長ウイング（４）を角度維持ストッパーＡ（１６）で止まる位置まで傾斜させ、短ウイング（５）も角度維持ストッパーＢ（１７）で止まる位置まで傾斜させる。
（ロ）詰め替えパック（１０）の注出口を開栓し、詰め替えパックのその注出口部（１３）を基台注入口（３）に収め、詰め替えパック側辺部（１１）を長ウイング（４）のコの字型の支持機構部Ａ（６）に収め、また、詰め替えパック上辺部（１２）を短ウイング（５）のコの字型の支持機構部Ｂ（７）に収める。
（ハ）詰め替えパック（１０）は、長ウイング（４）及び短ウイング（５）により安定支持され、内溶液は自然注入される。
（ニ）注入完了後は、それぞれ外側へ傾斜している長ウイング（４）及び短ウイング（５）の両ウイングを垂直軸方向へ回転させて、コンパクトに収納する。
【符号の説明】
【００１０】１  基台、２  滴下筒、３  基台注入口、４  長ウイング、５  短ウイング、
６  支持機構部Ａ、７  支持機構部Ｂ、８  本体容器、９  本体容器注入筒、
１０  詰め替えパック、１１  詰め替えパック側辺部、１２  詰め替えパック上辺部、
１３  詰め替えパック注出口部、１４  回転機構Ａ、１５  回転機構Ｂ、
１６  角度維持ストッパーＡ、１７  角度維持ストッパーＢ
【図１】
2018052621.tif 000003
【図２】
2018052621.tif 000004
【図３】
2018052621.tif 000005
【図４】
2018052621.tif 000006